(57)【要約】【課題】かずらの巻き上がりを確実に防止でき、支線に簡単に装着することができ、支線への装着後に強風で変形することのない、電柱支線用かずら巻防止具を提供する。【解決手段】板状の板羽２ａ，２ｂの上端部に支線装着用筒３が一体に接続されている電柱支線用かずら巻防止具１であって、支線装着用筒３が板羽２ａ，２ｂとの接続部分で電柱支線６を通す時に開閉可能であるととともに、電柱支線６を回転軸にして回転可能である電柱支線用かずら巻防止具。【選択図】図１
0003123795.tif 000002
【実用新案登録請求の範囲】
【請求項１】
板状の板羽の上端部に支線装着用筒が一体に接続されている電柱支線用かずら巻防止具であって、支線装着用筒が板羽との接続部分で電柱支線を通す時に開閉可能であるととともに、電柱支線を回転軸にして回転可能であることを特徴とする電柱支線用かずら巻防止具。
【請求項２】
支線装着用筒が弾力性を有する材質であることを特徴とする請求項１記載の電柱支線用かずら巻防止具。
【請求項３】
支線装着用筒の開閉する端部にそれぞれ対向して板羽が接続されていることを特徴とする請求項１又は２記載の電柱支線用かずら巻防止具。
【請求項４】
支線装着用筒の開閉する端部の一方の端部に板羽が接続され、他方の端部にガイド片が接続されていることを特徴とする請求項１又は２に記載の電柱支線用かずら巻防止具。
【考案の詳細な説明】
【技術分野】
【０００１】
本考案は、電柱支線にかずらが巻き上がるのを防止するために電柱支線に装着する電柱支線用かずら巻防止具に関する。
【背景技術】
【０００２】
電柱の傾斜、折損若しくは倒壊を防止するために電柱に支線が取り付けられる。この支線にかずらが巻き付くと、支線を伝って巻き上がり、電線に達すると地絡により停電事故が発生する。そこで、かずらの巻き上がりを防止するために、支線にかずら巻防止具を取り付けることが行われている。
【０００３】
電柱支線のかずら巻防止具として、かずらが電柱支線の周囲を、円弧を描きながら巻き上がるため、笠型や円筒型に見られるように従来の巻き上がり防止具は、かずらの先端が巻き付きにくいように支線を中心に等距離にある範囲を防護するよう円形状に防護壁が設けられている形状が主流となっている。例えば、特許文献１には、図３（ａ）に示すように、合成樹脂からなる筒状の周壁３１と、周壁３１の軸線方向両端を塞ぐ２つの端壁３２と、周壁３１の軸線方向に相互に間隔をあけて設けられる電柱支線６に支持される複数のホルダ（図示せず）とを有する蔓性植物の巻き上がり防止装置３０が開示されている。
【０００４】
また、特許文献２には、図４に示すように、上端部は電柱支線６に沿って延びる傾斜部４１が設けられ、面内に強風による揺れを防止するために複数個の風穴４２が形成されている板４３を電柱支線６に固定したパイプ４４にワイヤ４５などで垂設するかずら巻上り防止板４０が開示されている。
【特許文献１】特開平１１−９５号公報
【特許文献２】実開平３−８０８６０号公報
【考案の開示】
【考案が解決しようとする課題】
【０００５】
前記引用文献１の円筒状の防止装置は、円筒型の半割れ構造で内部に空洞を有するため、図３（ｂ）に示すように、台風などの強風が内部に吹き込んでめくれたりして変形や脱落が起こり、交換しなくてはならなくなる。さらに、端壁、ホルダ、とめ具類などの部材が多いため、製作工程が煩雑で製作コストが増し、また、体積（容量）が大きいため、運搬コスト、管理コストが高くつくという欠点を有している。
【０００６】
また、前記引用文献２の防止板は、支線に固定したパイプに防止板をワイヤで止めて垂設する構造のため、かずらがパイプを伝って巻き上るおそれがある。また、パイプに防止板をワイヤで垂設する必要があるため、パイプの固定作業や防止板の取付作業に手間が掛かるという欠点がある。
【０００７】
そこで、本考案は、かずらの巻き上がりを確実に防止でき、支線に簡単に装着することができ、支線への装着後に強風で変形することのない、電柱支線用かずら巻防止具を提供するものである。
【課題を解決するための手段】
【０００８】
本考案の電柱支線用かずら巻防止具は、板状の板羽の上端部に支線装着用筒が一体に接続されている電柱支線用かずら巻防止具であって、支線装着用筒が板羽との接続部分で電柱支線を通す時に開閉可能であるととともに、電柱支線を回転軸にして回転可能であることを特徴とする。
【０００９】
前記構成において、支線装着用筒が弾力性を有する材質にして開閉可能とし、支線装着用筒の開閉する端部にそれぞれ対向して板羽が接続されるようにしたり、あるいは、支線装着用筒の開閉する端部の一方の端部に板羽が接続され、他方の端部にガイド片を形成したりしてもよい。
【考案の効果】
【００１０】
本考案の電柱支線用かずら巻防止具は、板羽と支線装着用筒が一体に形成されているので、かずらの巻き上がりを確実に防止することができる。
【００１１】
本考案の電柱支線用かずら巻防止具は、板状であり内部に空洞を有する中空構造ではないため、風の吹込みによるめくれ等の変形がない。その結果、不良取替えに関わる費用や交換作業を従来に比べて大幅に軽減することができる。また、脱落した場合のかずらの巻き上がりに伴う、伐採関係費の削減や事故の未然防止を図ることができる。
【００１２】
本考案の電柱支線用かずら巻防止具は、板羽が風圧を受けて支線を回転軸として揺動することにより、巻き上がろうとするかずらを振り落とす効果がある。
【００１３】
また、本考案の電柱支線用かずら巻防止具は、板羽と支線装着用筒が一体の単純構造のため、押し出し成形で製造できるので、従来に比べて製作コストを低減させることができる。
【００１４】
また、本考案の電柱支線用かずら巻防止具は、板状体であるため、従来の筒状のかずら巻防止具に比べて体積を少量化できるので、運搬コストや管理コストを低減させることができる。
【００１５】
また、本考案の電柱支線用かずら巻防止具は、電柱支線への装着が板羽を支線に被せ押し下げて、止めるだけの装着作業なので、作業効率がアップする。
【００１６】
また、本考案の電柱支線用かずら巻防止具は、支線装着用筒の開閉する一方の端部に板羽を接続し、他方の端部にガイド片を形成することにより、材料の使用量を低減させることができる。
【考案を実施するための最良の形態】
【００１７】
以下、本考案の電柱支線用かずら巻防止具の実施例について図面を用いて説明する。
【実施例１】
【００１８】
図１（ａ）は本考案による電柱支線用かずら巻防止具の第１実施例の斜視図、（ｂ）は電柱支線に装着した状態を示す斜視図である。
【００１９】
図１において、本実施例の電柱支線用かずら巻防止具は、対向する一対の板羽２ａ，２ｂと支線装着用筒３とが一体に構成される。対向する一対の板羽２ａ，２ｂは僅かに末広がりに形成し、電柱支線６を板羽の間４に導入しやすくする。材質としては、弾力性のある合成樹脂、例えばポリエチレンを使用し、板羽２ａ，２ｂと支線装着用筒３を押出成形により一体に形成する。
【００２０】
板羽２ａ，２ｂの幅は１５０ｍｍ以上とする。板羽２ａ，２ｂの幅について、１００ｍｍ、１５０ｍｍ、２００ｍｍ、２５０ｍｍの４種類の幅で検証した結果、１００ｍｍではかずらの巻き上がりがあった。１５０ｍｍでは１本の巻き上がりが見られたが、その後、落ちていた。したがって、電柱支線６に巻き上がろうとするかずら１３は板羽２ａ，２ｂを伝わって板羽２ａ，２ｂの外側に延出し、更に巻き上がろうとするが、板羽２ａ，２ｂの幅を１５０ｍｍ以上とすることにより、かずら１３が巻き付く前にかずら１３の先端はその自重や風圧により地表に向け垂れ下がるため、電柱支線用かずら巻防止具１にかずら１３が巻き上がるのを防止することができる。なお、２００ｍｍ、２５０ｍｍでは巻き上がりは見られなかった。
【００２１】
電柱支線６に通して電柱支線用かずら巻防止具１を装着するための支線装着用筒３の径は、電柱支線の径よりやや大きくして電柱支線６を回転軸として揺動可能にする。支線装着用筒３の板羽２ａ，２ｂとの接続部分の開閉部５は、電柱支線６を通す時に押し広げて拡げて開くことができるようにし、開閉部５は、通常は電柱支線６が通過しない幅、好ましくは弾力によりほぼ閉じた状態となるようにして、装着後に電柱支線６が抜けないようにし、板羽２ａ，２ｂを拡げることにより電柱支線６が通過できるようにする。
【００２２】
電柱支線用かずら巻防止具１の電柱支線６への装着方法は、板羽２ａ，２ｂを拡げて、その間４に電柱支線６を位置させ板羽２ａ，２ｂを下方に押し下げ、電柱支線６を支線装着用筒３内に入れ込むことにより電柱支線６に装着する。なお、電柱支線６には、支線装着用筒３の下端が位置する部分に、電柱支線用かずら巻防止具１がズレ落ちるのを防止するため、ストッパー１２を固定しておく。また、材質によっては、支線装着用筒３の開閉部５が万が一開いて電柱支線６から外れるのを防止するためにビス止めしたり、クリップで挟んだりして固定してもよい。
【実施例２】
【００２３】
図２（ａ）は本考案による電柱支線用かずら巻防止具の第２実施例の斜視図、（ｂ）は電柱支線に装着した状態を示す斜視図である。
【００２４】
図２において、電柱支線用かずら巻防止具７は、１枚の板羽８と板羽８の上部に支線装着用筒９とが一体に形成される。電柱支線用かずら巻防止具１の材質としては、実施例１と同様に弾力性のある合成樹脂、例えばポリエチレンを使用し、板羽８と支線装着用筒９を押出成形により一体に形成する。
【００２５】
支線装着用筒９の開閉する開閉部１０の一方の端部に板羽８が接続され、他方の端部には電柱支線６をガイドしやすいように、外側に向いたガイド片１１を形成する。支線装着用筒９の径は、実施例１と同様に、電柱支線６の径よりやや大きくして電柱支線６を回転軸として揺動可能にする。支線装着用筒９の開閉部１０は、電柱支線６が装着後は通過しない幅、好ましくは弾力により閉じた状態となるようにして、電柱支線６が抜けないようにし、電柱支線６を入れ込む際に電柱支線６が通過できるようにする。
【００２６】
電柱支線用かずら巻防止具７の装着方法は、電柱支線６を支線装着用筒９のガイド片１１と板羽８の間の開閉部１０に位置させ、板羽８を下方に押し下げ、電柱支線６を支線装着用筒９内に入れ込むことにより電柱支線６に装着する。なお、電柱支線６には、支線装着用筒９の下端が位置する部分に、電柱支線用かずら巻防止具７がズレ落ちるのを防止するため、ストッパー１２を固定しておく。また、実施例１と同様に、支線装着用筒が万が一開いて電柱支線から外れるのを防止するためにビス止めしたり、クリップで挟んだりして固定してもよい。
【図面の簡単な説明】
【００２７】
【図１】（ａ）は本考案による電柱支線用かずら巻防止具の第１実施例の斜視図、（ｂ）は電柱支線に装着した状態を示す斜視図である。
【図２】（ａ）は本考案による電柱支線用かずら巻防止具の第２実施例の斜視図、（ｂ）は電柱支線に装着した状態を示す斜視図である。
【図３】（ａ）は従来の筒状の電柱支線用かずら巻防止具の斜視図、（ｂ）はめくれた状態を示す図である。
【図４】従来の板状の電柱支線用かずら巻防止具の斜視図である。
【符号の説明】
【００２８】
１：電柱支線用かずら巻防止具    ２ａ，２ｂ：板羽
３：支線装着用筒            ４：板羽の間
５：開閉部                  ６：電柱支線
７：電柱支線用かずら巻防止具    ８：板羽
９：支線装着用筒          １０：開閉部
１１：ガイド片              １２：ストッパー
１３：かずら                    
３０：巻き上がり防止装置    ３１：周壁  
３２：端壁
４０：かずら巻上り防止板        ４１：傾斜部
４２：風穴                  ４３：板
４４：パイプ                ４５：ワイヤ
【図１】
0003123795.tif 000003
【図２】
0003123795.tif 000004
【図３】
0003123795.tif 000005
【図４】
0003123795.tif 000006